(57)【要約】      （修正有）【課題】ＥＳＤ等に起因する過電流などによる断線の防止を図ることができる配線体を提供する。【解決手段】配線体は、第１の導体部と第２の導体部とを備える。第１の導体部の第１の電極パターン３１は、格子Ｕ２を繰り返す格子パターンＢをそれぞれ有する複数の第１の本体部３２と、第１の連結部３３と、を含む。第２の導体部の第２の電極パターンは、同一の格子を繰り返す格子パターンをそれぞれ有する複数の第２の本体部と、第２の連結部と、を含む。第１の連結部３３と第２の連結部は第２の絶縁部を介して対向しており、平面視において、第１の連結部３３と第２の連結部とが重なることで、同一の格子を繰り返す格子パターンを有する。【選択図】図４
2020027392.tif 000002
【特許請求の範囲】
【請求項１】
第１の導体部と、
第２の導体部と、
前記第１の導体部と前記第２の導体部の間に介在する絶縁部と、を備え、
前記第１の導体部は、複数の第１の導体線が相互に交差するメッシュ状の第１の電極パターンを含み、
前記第１の電極パターンは、
同一の第１の格子を繰り返す第１の格子パターンをそれぞれ有する複数の第１の本体部と、
前記第１の本体部同士を連結する第１の連結部と、を含み、
前記第２の導体部は、複数の第２の導体線が相互に交差するメッシュ状の第２の電極パターンを含み、
前記第２の電極パターンは、
同一の第２の格子を繰り返す第２の格子パターンをそれぞれ有する複数の第２の本体部と、
前記第２の本体部同士を連結する第２の連結部と、を含み、
前記第１の連結部と前記第２の連結部は前記絶縁部を介して対向しており、
平面視において、前記第１の連結部と第２の連結部とが重なることで、同一の第３の格子を繰り返す第３の格子パターンを有しており、
下記（１）、（２）式を満たす配線体。
Ｎ１＜Ｎａ  …  （１）
Ｎ２＞Ｎｂ  …  （２）
但し、上記（１）式において、Ｎ１は前記第１の連結部における前記第１の導体線の本数であり、Ｎａは前記第１の格子で前記第１の連結部を形成した場合における前記第１の導体線の本数であり、上記（２）式において、Ｎ２は前記第２の連結部における前記第２の導体線の本数であり、Ｎｂは前記第２の格子で前記第２の連結部を形成した場合における前記第２の導体線の本数である。
【請求項２】
請求項１に記載の配線体であって、
前記第１の電極パターンは、前記第１の導体線同士を結ぶ第３の導体線を有している配線体。
【請求項３】
請求項１又は２に記載の配線体であって、
前記第２の電極パターンは、前記第２の導体線同士を結ぶ第４の導体線を有している配線体。
【請求項４】
請求項１〜３の何れか一項に記載の配線体であって、
下記（３）〜（５）式を満たす配線体。
Ｎ１＋Ｎ２＝Ｎｓ  …  （３）
Ｎ１≧０．５×Ｎｓ／２  …  （４）
Ｎ２≦１．５×Ｎｓ／２  …  （５）
但し、上記（３）〜（５）式において、Ｎｓは３以上の自然数である。
【請求項５】
請求項１〜４の何れか一項に記載の配線体であって、
前記第１の導体部は、
前記第１の電極パターンの一端に電気的に接続された第１の引出線と、
前記第１の引出線に接続された第１の端子部と、
前記第１の電極パターンの他端に電気的に接続された第２の引出線と、
前記第２の引出線に接続された第２の端子部と、を含み、
前記第２の導体部は、
前記第２の電極パターンの一端に電気的に接続された第３の引出線と、
前記第３の引出線に接続された第３の端子部と、を含み、
前記第２の電極パターンの他端には、引出線が接続されていない配線体。
【請求項６】
請求項１〜５何れか一項に記載の配線体であって、
下記（６）式を満たす配線体。
Ｌ１＜Ｌ２  …  （６）
但し、上記（６）式において、Ｌ１は前記第１の電極パターンの延在方向長さであり、Ｌ２は前記第２の電極パターンの延在方向長さである。
【請求項７】
請求項１〜６の何れか一項に記載の配線体であって、
前記第１の導体部は、複数の第１のダミー細線が相互に交差するメッシュ状の第１のダミーパターンを含み、
前記第１のダミーパターンと前記第１の電極パターンとは、前記第３の格子と同一形状を有する第４の格子を繰り返す第４の格子パターンを形成し、
前記第２の導体部は、複数の第２のダミー細線が相互に交差するメッシュ状の第２のダミーパターンを含み、
前記第２のダミーパターンと前記第２の電極パターンとは、前記第３の格子と同一形状を有する第５の格子を繰り返す第５の格子パターンを形成する配線体。
【請求項８】
請求項１〜７の何れか一項に記載の配線体と、
前記配線体を支持する支持体と、を備えた配線板。
【請求項９】
請求項８に記載の配線板を備えたタッチセンサ。
【発明の詳細な説明】
【技術分野】
【０００１】
本発明は、配線体、配線板、及びタッチセンサに関するものである。
【背景技術】
【０００２】
基体と、基体の第１の主面に配置された第１電極パターンと、基体の第２の主面に配置された第２電極パターンと、を備えるタッチパネルが知られている（例えば特許文献１参照）。このタッチパネルでは、第１及び第２電極パターンが複数の格子から構成されており、各格子は略菱形の外形を有している。また、第１及び第２電極パターンは、延在方向に沿って、交互に配置された幅広部分と幅狭部分とを備えている。
【０００３】
また、このような電極パターンを備えるタッチパネルとしては、１箇所のみに端子が接続されている第１電極パターンと、複数箇所に端子が接続されている第２電極パターンと、を備えるタッチパネルが知られている（例えば特許文献２（図１）参照）。
【先行技術文献】
【特許文献】
【０００４】
【特許文献１】特開２０１２−２５６３２０号公報
【特許文献２】特開２０１４−２０３３７８号公報
【発明の概要】
【発明が解決しようとする課題】
【０００５】
上記の特許文献１に記載のタッチパネルでは、電極パターンに接続された外部配線において静電気放電（ＥＳＤ（Electro-Static Discharge））等の過電流が発生した際に、電極パターンへの突入電流の電流密度が電極パターンの幅狭部分において高くなるため、当該幅狭部分において断線が生じやすいという問題があった。
【０００６】
また、第１の電極パターンと第２の電極パターンとの間で、ＥＳＤ等に起因する過電流による幅狭部分の断線に対する耐性に差があり、一方の電極パターンで断線が生じ易くなるという問題があった。
【０００７】
その一例を挙げれば、上記の特許文献２に記載のような端子構成を採用すると、複数箇所が端子に接続されている第２電極パターンでは外部配線からの突入電流が端子数に応じて分流され、第２電極パターンにおける電流密度が大きくなり難い。そのため、第２電極パターンでは幅狭部分が断線し難いが、一方で、１箇所のみに端子が接続されている第１電極パターンでは突入電流が大きくなり、幅狭部分は断線し易くなる。
【０００８】
本発明が解決しようとする課題は、ＥＳＤ等に起因する過電流により断線の防止を図ることができる配線体、配線板、及び、タッチセンサを提供することである。
【課題を解決するための手段】
【０００９】
［１］本発明に係る配線体は、第１の導体部と、第２の導体部と、前記第１の導体部と前記第２の導体部の間に介在する絶縁部と、を備え、前記第１の導体部は、複数の第１の導体線が相互に交差するメッシュ状の第１の電極パターンを含み、前記第１の電極パターンは、同一の第１の格子を繰り返す第１の格子パターンをそれぞれ有する複数の第１の本体部と、前記第１の本体部同士を連結する第１の連結部と、を含み、前記第２の導体部は、複数の第２の導体線が相互に交差するメッシュ状の第２の電極パターンを含み、前記第２の電極パターンは、同一の第２の格子を繰り返す第２の格子パターンをそれぞれ有する複数の第２の本体部と、前記第２の本体部同士を連結する第２の連結部と、を含み、前記第１の連結部と前記第２の連結部は前記絶縁部を介して対向しており、平面視において、前記第１の連結部と第２の連結部とが重なることで、同一の第３の格子を繰り返す第３の格子パターンを有しており、下記（１）、（２）式を満たす配線体である。
Ｎ１＜Ｎａ  …  （１）
Ｎ２＞Ｎｂ  …  （２）
但し、上記（１）式において、Ｎ１は前記第１の連結部における前記第１の導体線の本数であり、Ｎａは前記第１の格子で前記第１の連結部を形成した場合における前記第１の導体線の本数であり、上記（２）式において、Ｎ２は前記第２の連結部における前記第２の導体線の本数であり、Ｎｂは前記第２の格子で前記第２の連結部を形成した場合における前記第２の導体線の本数である。
【００１０】
［２］上記発明において、前記第１の電極パターンは、前記第１の導体線同士を結ぶ第３の導体線を有していてもよい。
【００１１】
［３］上記発明において、前記第１の電極パターンは、前記第２の導体線同士を結ぶ第４の導体線を有していてもよい。
【００１２】
［４］上記発明において、配線体は、下記（３）〜（５）式を満たしていてもよい。
Ｎ１＋Ｎ２＝Ｎｓ  …（３）
Ｎ１≧０．５×Ｎｓ／２  …（４）
Ｎ２≦１．５×Ｎｓ／２  …（５）
但し、上記（３）〜（５）式において、Ｎｓは４以上の自然数である。
【００１３】
［５］上記発明において、前記第１の導体部は、前記第１の電極パターンの一端に電気的に接続された第１の引出線と、前記第１の引出線に接続された第１の端子部と、前記第１の電極パターンの他端に電気的に接続された第２の引出線と、前記第２の引出線に接続された第２の端子部と、を含み、前記第２の導体部は、前記第２の電極パターンの一端に電気的に接続された第３の引出線と、前記第３の引出線に接続された第３の端子部と、を含んでいてもよい。
【００１４】
［６］上記発明において、配線体は、下記（６）式を満たしていてもよい。
Ｌ１＜Ｌ２  …  （６）
但し、上記（６）式において、Ｌ１は前記第１の電極パターンの延在方向長さであり、Ｌ２は前記第２の電極パターンの延在方向長さである。
【００１５】
［７］上記発明において、前記第１の導体部は、複数の第１のダミー細線が相互に交差するメッシュ状の第１のダミーパターンを含み、前記第１のダミーパターンと前記第１の電極パターンとは、同一の格子を繰り返す格子パターンを形成し、前記第２の導体部は、複数の第２のダミー細線が相互に交差するメッシュ状の第２のダミーパターンを含み、前記第２のダミーパターンと前記第２の電極パターンとは、同一の第４の格子を繰り返す第４の格子パターンを形成してもよい。
【００１６】
［８］本発明に係る配線板は、上記の配線体と、前記配線体を支持する支持体と、を備えた配線板である。
【００１７】
［９］本発明に係るタッチセンサは、上記の配線板を備えたタッチセンサである。
【発明の効果】
【００１８】
本発明によれば、第２の電極パターンの第２の連結部における導体線の本数を、第２の本体部と同様の第２の格子により形成したと仮定した場合よりも多くすることで、第２の連結部において、ＥＳＤ等に起因する過電流による断線の防止を図ることができる。
【図面の簡単な説明】
【００１９】
【図１】図１は、本発明の第１実施形態におけるタッチセンサを示す平面図である。
【図２】図２は、本発明の第１実施形態におけるタッチセンサを示す分解斜視図である。
【図３】図３は、図１のIII部分を示す拡大平面図である。
【図４】図４は、図３において、第１の電極パターン及び第１のダミーパターンのみを取り出して示した拡大平面図である。
【図５】図５は、図３のV-V線に沿った断面図である。
【図６】図６は、図３において、第２の電極パターン及び第２のダミーパターンのみを取り出して示した拡大平面図である。
【図７】図７は、図４のVII部分を示す拡大平面図である。
【図８】図８は、図６のVIII部分を示す断面図である。
【図９】図９は、第２実施形態における第１の連結部を示す平面図である。
【図１０】図１０は、第２実施形態における第２の連結部を示す平面図である。
【図１１】図１１は、本発明の第３実施形態におけるタッチセンサを示す平面図である。
【発明を実施するための形態】
【００２０】
以下、本発明の実施形態を図面に基づいて説明する。
【００２１】
<<第１実施形態>>
以下、本発明の第１実施形態を図面に基づいて説明する。
【００２２】
図１は本発明の第１実施形態に係るタッチセンサを示す平面図であり、図２は本発明の第１実施形態におけるタッチセンサを示す分解斜視図である。なお、図１では、便宜上、第３の絶縁部６０及びカバーパネル７０の図示を省略しているが、実際には、タッチセンサ１は第３の絶縁部及びカバーパネル７０を備えている。図１に示すタッチセンサ１は、投影型の静電容量方式のタッチパネルセンサであり、例えば、表示装置（不図示）等と組み合わせて、タッチ位置を検出する機能を有する入力装置として用いられる。表示装置としては、特に限定されず、液晶ディスプレイ、有機ＥＬディスプレイ、電子ペーパ等を用いることができる。本実施形態における「タッチセンサ１」は、本発明における「タッチセンサ」の一例に相当する。
【００２３】
このタッチセンサ１は、表示装置の表示領域に対応するように配置された検出電極と駆動電極（後述する第１の電極パターン３１及び第２の電極パターン５１）を有しており、この２つの電極の間には、外部回路（不図示）から所定電圧が周期的に印加されている。
【００２４】
このようなタッチセンサ１では、例えば、図２に示すように、操作者の指（外部導体）Ｆがタッチセンサ１に接近すると、この外部導体Ｆとタッチセンサ１との間でコンデンサ（電気容量）が形成され、２つの電極間の電気的な状態が変化する。タッチセンサ１は、２つの電極間の電気的な変化に基づいて、操作者の操作位置を検出することができる。
【００２５】
タッチセンサ１は、図２に示すように、配線体１０と支持体８０を含む配線板２と、配線板２の片面に貼り付けられたカバーパネル７０と、を備えている。本実施形態における「配線体１０」が、本発明における「配線体」の一例に相当し、本実施形態における「支持体８０」が、本発明における「支持体」の一例に相当し、本実施形態における「配線板２」が、本発明における「配線板」の一例に相当する。
【００２６】
支持体８０は、矩形状の外形を有し、上記表示装置の視認性を確保するため、透明性を有する材料で構成されている。この支持体８０を構成する材料としては、例えば、ポリエチレンテレフタレート（ＰＥＴ）、ポリエチレンナフタレート（ＰＥＮ）、ポリイミド樹脂（ＰＩ）、ポリエーテルイミド樹脂（ＰＥＩ）、ポリカーボネート（ＰＣ）、ポリエーテルエーテルケトン（ＰＥＥＫ）、液晶ポリマー（ＬＣＰ）、シクロオレフィンポリマー（ＣＯＰ）、シリコーン樹脂（ＳＩ）、アクリル樹脂、フェノール樹脂、エポキシ樹脂、ガラス等を用いることができる。この支持体８０には、配線体１０が貼り付けられており、支持体８０によって配線体１０が支持されている。この場合、支持体８０は、配線体１０を支持できる程度の剛性を有していることが好ましい。
【００２７】
配線体１０は、図２に示すように、第１の絶縁部２０と、第１の導体部３０と、第２の絶縁部４０と、第２の導体部５０と、第３の絶縁部６０と、を備えている。この配線体１０は、上記表示装置の視認性を確保するために、全体的に透明性（透光性）を有するように構成されている。
【００２８】
本実施形態では、第１の導体部３０が第１の絶縁部２０上に配置されていると共に、第２の導体部５０が第２の絶縁部４０上に配置されており、第１の絶縁部２０に第２の絶縁部４０が積層されている。すなわち、第１の導体部３０が第２の絶縁部４０の一方の側に配置されているのに対し、第２の導体部５０が当該第２の絶縁部４０の他方の側に配置されており、第２の絶縁部４０を介して、第１の導体部３０と第２の導体部５０とが相互に対向している。従って、本実施形態における「第２の絶縁部４０」が、本発明における「絶縁部」の一例に相当し、本実施形態における「第１の導体部３０」が、本発明における「第１の導体部」の一例に相当し、本実施形態における「第２の導体部５０」が、本発明における「第２の導体部」の一例に相当する。
【００２９】
そして、第２の導体部５０は、第１の導体部３０よりも、外部導体Ｆが接触する側に近い位置に配設されている。つまり、第１の導体部３０が表示装置側に位置し、第２の導体部５０が操作者側（外部導体Ｆが接触する面側）に位置している。
【００３０】
第１の絶縁部２０は、矩形状の外形を有し、透明性と電気絶縁性を有する樹脂材料で構成されている。この樹脂材料としては、例えば、エポキシ樹脂、アクリル樹脂、ポリエステル樹脂、ウレタン樹脂、ビニル樹脂、シリコーン樹脂、フェノール樹脂、ポリイミド樹脂等のＵＶ硬化性樹脂、熱硬化性樹脂又は熱可塑性樹脂等を例示することができる。この第１の絶縁部２０の下面が、支持体８０に貼り付けられている。
【００３１】
第１の導体部３０は、第１の絶縁部２０上に設けられており、第１の絶縁部２０によって保持されている。この第１の導体部３０は、導電性ペーストを印刷して硬化させることで形成されている。導電性ペーストの具体例としては、導電性材料及びバインダ樹脂を、水、もしくは溶剤、及び各種添加剤に混合して構成されたものを例示することができる。なお、導電性ペーストからバインダ樹脂を省略してもよい。
【００３２】
導電性材料の具体例としては、銀や銅、ニッケル、スズ、ビスマス、亜鉛、インジウム、パラジウム等の金属材料や、グラファイト、カーボンブラック（ファーネスブラック、アセチレンブラック、ケッチェンブラック）、カーボンナノチューブ、カーボンナノファイバ等のカーボン系材料を挙げることができる。なお、導電性材料として、金属塩を用いてもよい。金属塩の具体例としては、上述の金属の塩を挙げることができる。バインダ樹脂の具体例としては、アクリル樹脂、ポリエステル樹脂、エポキシ樹脂、ビニル樹脂、ウレタン樹脂、フェノール樹脂、ポリイミド樹脂、シリコーン樹脂、フッ素樹脂等を挙げることができる。溶剤の具体例としては、α-テルピネオール、ブチルカルビトールアセテート、ブチルカルビトール、１−デカノール、ブチルセルソルブ、ジエチレングリコールモノエチルエーテルアセテート、テトラデカン等を挙げることができる。
【００３３】
第１の導体部３０は、図１及び図２に示すように、複数の第１の電極パターン３１と、複数の第１の引出線３４と、複数の第２の引出線３５と、複数の第１の端子部３６と、複数の第２の端子部３７と、複数の第１のダミーパターン３８と、を含んでいる。なお、本実施形態における「第１の電極パターン３１」は、本発明における「第１の電極パターン」の一例に相当し、本実施形態における「第１の引出線３４」が、本発明における「第１の引出線」の一例に相当し、本実施形態における「第２の引出線３５」が、本発明における「第２の引出線」の一例に相当し、本実施形態における「第１の端子部３６」が、本発明における「第１の端子部」の一例に相当し、本実施形態における「第２の端子部３７」が、本発明における「第２の端子部」の一例に相当し、本実施形態の「第１のダミーパターン３８」が、本発明における「第１のダミーパターン」の一例に相当する。
【００３４】
それぞれの第１の電極パターン３１は、図中Ｘ方向に延在している。そして、複数の第１の電極パターン３１は、図中Ｙ方向に並べられている。それぞれの第１の電極パターン３１は、図１及び図２に示すように、複数の第１の本体部３２と、複数の第１の連結部３３と、を含んでいる。なお、本実施形態における「第１の本体部３２」が、本発明における「第１の本体部」の一例に相当し、本実施形態における「第１の連結部３３」が、本発明における「第１の連結部」の一例に相当し、本実施形態における「Ｘ方向」が、本発明における「第１の電極パターンの延在方向」の一例に相当する。
【００３５】
第１の電極パターン３１の両端に位置する第１の本体部３２は、三角形状を有しており、一方で、その他の第１の本体部３２は、略菱形形状を有している。複数の第１の本体部３２は、第１の電極パターン３１の延在方向（図中Ｘ方向）に並べられている。相互に隣り合う第１の本体部３２同士は、第１の連結部３３を介して電気的に接続されている。この第１の連結部３３における第１の電極パターン３１の電極幅は、第１の本体部３２における第１の電極パターン３１の電極幅よりも細くなっている。
【００３６】
図３は図１のIII部分を示す拡大平面図であり、図４はIII部分において、便宜上、第１の電極パターン３１と第１のダミーパターン３８のみを取り出して示した拡大平面図である。また、図５は図３のV-V線に沿った断面図である。図３において、一点鎖線が第１の電極パターン３１の外形を示しており、二点鎖線が第２の電極パターン５１の外形を示している。
【００３７】
図３に示すように、平面視において、第１の電極パターン３１と、第２の電極パターン５１とは交差しており、第１の電極パターン３１の第１の連結部３３と、第２の電極パターン５１の第２の連結部５３（後述）と、は重なっている。言い換えれば、第１の連結部３３と第２の連結部５３は第２の絶縁部４０を介して対向している。一方で、平面視において、第１の電極パターン３１の第１の本体部３２と、第２の電極パターン５１の第２の本体部５２（後述）と、は重なっていない。
【００３８】
また、第１の導体部３０と第２の導体部５０は、平面視において、見かけ上、略均一な格子パターンＡを形成している。この格子パターンＡは、略菱形形状の複数の格子Ｕ１から形成されている。格子Ｕ１は、第１の導体部３０における格子Ｕ２〜Ｕ４（後述）と、第２の導体部５０における格子Ｕ５〜Ｕ９（後述）と、が互いに半ピッチずれて重なることで形成されている。なお、本実施形態における「格子パターンＡ」が、本発明における「第３の格子パターン」、「第４の格子パターン」、及び「第５の格子パターン」の一例に相当し、本実施形態の「格子Ｕ１」が、本発明における「第３の格子」、「第４の格子」、及び「第５の格子」の一例に相当する。特に限定されないが、本実施形態では第１〜第３の格子が互いに同一形状を有しており、これにより、第３〜第５の格子パターンも互いに同一パターンとなっている。
【００３９】
図４に示すように、第１の電極パターン３１は、複数の直線状の第１の導体線３２１ａ，３２１ｂを有している。第１の導体線３２１ａは第１の方向Ｄ１に延在しており、一方で、第１の導体線３２１ｂは、第１の方向Ｄ１とは異なる第２の方向Ｄ２に延在している。
【００４０】
複数の第１の導体線３２１ａは等間隔（等ピッチ）で並べられており、同様に、複数の第１の導体線３２１ｂも等間隔で並べられている。第１の導体線３２１ａ，３２１ｂは、相互に交差して複数の格子を形成している。これにより、第１の本体部３２は、複数の略菱形形状の格子Ｕ２から構成された格子パターンＢを有しており、第１の連結部３３は、矩形形状の格子Ｕ３により構成された格子パターンＣを有している。なお、本実施形態において、第１の導体線３２１ａ，３２１ｂを第１の導体線３２１と総称する。また、本実施形態における「格子Ｕ２」が、本発明における「第１の格子」に相当し、本実施形態における「格子パターンＢ」が、「第１の格子パターン」に相当する。
【００４１】
図４に示すように、本実施形態では、第１の本体部３２を構成する第１の導体線３２１は、第１の本体部３２の全体にわたって略均一に、略菱形形状の格子Ｕ２を形成している。一方で、第１の連結部３３では、第１の導体線３２１は第１の本体部３２のような格子Ｕ２を形成しておらず、矩形形状の格子Ｕ３を１つ形成している。
【００４２】
この第１の連結部３３では、格子Ｕ３が形成されているのみであり、第１の本体部３２のような格子Ｕ２は形成されていない。また、第１の連結部３３の格子Ｕ３では、第１の導体線３２１ｂ同士のピッチ（第１の方向Ｄ１における第１の導体線３２１ｂ間の距離）は、第１の本体部３２の格子Ｕ２の第１の導体線３２１ｂ同士のピッチの３倍となっている。結果として、第１の連結部３３では、第１の本体部３２に比べて第１の導体線３２１ａ，３２１ｂの本数は少なくなっている。換言すれば、この第１の連結部３３では、第１の本体部３２のように、第１の導体線３２１ａ，３２１ｂを均一に並べた場合（つまり、格子Ｕ２によって第１の連結部３３を形成した場合）よりも、第１の導体線３２１ａ，３２１ｂの本数は少なくなっている。
【００４３】
上述の通り、第１の連結部３３における第１の電極パターン３１の電極幅は、第１の本体部３２における第１の電極パターン３１の電極幅よりも細くなっている。換言すると、第１の連結部３３における第１の導体線３２１の本数は、第１の本体部３２における第１の導体線３２１の本数よりも少なくなっている。従って、第１の電極パターン３１の幅方向に沿って第１の連結部３３を切断した際の第１の導体線３２１の断面積の合計Ｓ１は、第１の本体部３２を同様の方向に切断した際の第１の導体線３２１の断面積の合計Ｓ２よりも小さくなっている（Ｓ１＜Ｓ２）。このように、連結部とは、電極パターンにおいて幅方向における導体線の断面積の合計値が、本体部に比べて相対的に小さくなっている部分のことを言う。
【００４４】
第１の導体線３２１ａは、図５に示すように、第１の絶縁部２０の凸部２１上に設けられている。第１の導体線３２１ａは、第１の導体線３２１ａの幅方向に切断した断面を視た場合に、第１の絶縁部２０から離れるに従い、次第に幅狭となるテーパ形状を有している。この第１の導体線３２１ａにおいて、凸部２１と接触する第１の接触面３２１ｃは、第２の絶縁部４０と接触する第２の接触面３２１ｄに対して相対的に粗くなっている。
【００４５】
具体的には、第１の接触面３２１ｃの面粗さＲａは、０．１μｍ〜３μｍであるのに対して、第２の接触面３２１ｄの面粗さＲａは、０．００１μｍ〜１．０μｍとなっている。この面粗さＲａは、ＪＩＳ法（ＪＩＳ  Ｂ０６０１（２０１３年３月２１日改正））に定義される「算術平均粗さＲａ」である。なお、第１の導体線３２１ｂも、図５に示す第１の導体線３２１ａと同様の断面形状を有している。
【００４６】
また、本実施形態では、第１の導体線３２１ａの線幅は、延在方向（第１の方向Ｄ１又は第２の方向Ｄ２）に沿って一定となっている。そのため、本実施形態では、第１の連結部３３における第１の導体線３２１ａの線幅Ｗ１と、第１の本体部３２における第１の導体線３２１ａの線幅Ｗ２とが等しくなっている（Ｗ１＝Ｗ２）。なお、第１の導体線３２１ａの線幅とは、第１の導体線３２１ａの幅方向に切断した断面を視た場合において最も幅広となる部分の線幅のことを意味し、図５の第１の接触面３２１ｃにおける線幅Ｗ２に相当する。
【００４７】
また、第１の導体線３２１ｂについても同様であり、第１の導体線３２１ｂは第１の導体線３２１ａと同様の線幅Ｗ１，Ｗ２を有している。なお、第１の連結部３３における第１の導体線３２１ａ，３２１ｂの線幅Ｗ１と、第１の本体部３２における第１の導体線３２１ａ，３２１ｂの線幅Ｗ２とが異なっていてもよい（Ｗ１≠Ｗ２）。
【００４８】
図１及び図２に示すように、それぞれの第１の電極パターン３１の長手方向一端には第１の引出線３４の一端が接続されており、それぞれの第１の電極パターン３１の長手方向他端には第２の引出線３５の一端が接続されている。それぞれの第１及び第２の引出線３４，３５の他端には、第１及び第２の端子部３６，３７が接続されている。第１及び第２の端子部３６，３７は、配線体１０の縁部に位置している。この第１及び第２の端子部３６，３７が、外部回路と電気的に接続される。
【００４９】
なお、以下では、第１の導体部３０のように、第１の電極パターン３１の両端に、第１及び第２の引出線３４，３５の一端がそれぞれ接続されており、第１及び第２の引出線３４，３５の他端に、第１及び第２の端子部３６，３７がそれぞれ接続されている電極構成を「ループパターン」と呼称することもある。
【００５０】
また、第１の電極パターン３１の数は特に限定されない。第１及び第２の引出線３４，３５と第１及び第２の端子部３６，３７の数は、第１の電極パターン３１の数に合わせて設定される。
【００５１】
複数の第１のダミーパターン３８は、図２に示すように、第１の絶縁部２０において第１の電極パターン３１が形成されていない領域に配置されており、第１の電極パターン３１とは電気的に絶縁されている。本実施形態においては、複数の第１の電極パターン３１の間に、第１のダミーパターン３８が配置されており、第１のダミーパターン３８は、第２の絶縁部４０を介して第２の電極パターン５１と対向している。また、第１のダミーパターン３８と、第１の電極パターン３１と、第１及び第２の引出線３４，３５と、第１及び第２の端子部３６，３７とは、実質的に同一の平面上に設けられている。
【００５２】
それぞれの第１のダミーパターン３８は、図４に示すように、相互に交差する直線状の第１のダミー細線３８１ａ，３８１ｂを有している。これらの第１のダミー細線３８１ａ，３８１ｂは、上述の第１の導体線３２１ａの断面形状と実質的に同一の断面形状を有しており、一方の第１のダミー細線３８１ａは、第１の方向Ｄ１に延在しているのに対し、他方の第１のダミー細線３８１ｂは、第２の方向Ｄ２に延在している。これによって、第１のダミー細線３８１ａ，３８１ｂは、格子Ｕ２と同形状の格子Ｕ４を形成しており、第１のダミーパターン３８は格子Ｕ４を繰り返す格子パターンＤによるメッシュ形状を有している。また、一部の格子Ｕ４は断線部３８２（後述）を有しており、一部が欠けた不完全な格子形状となっている。本実施形態の「第１のダミー細線３８１ａ，３８１ｂ」が、本発明の「複数の第１のダミー細線」の一例に相当する。
【００５３】
第１のダミー細線３８１ａは、図３の平面視において、第２の導体線５２１ａと略平行に延在しており、第２の導体線５２１ａ同士の間に位置している。一方で、第１のダミー細線３８１ｂは、第２の導体線５２１ｂと略平行に延在しており、第２の導体線５２１ｂ同士の間に位置している。本実施形態では、第１のダミー細線３８１ａは、隣り合う第２の導体線５２１ａ同士の間隔を二等分するように延在しており、同様に、第１のダミー細線３８１ｂは、隣り合う第２の導体線５２１ｂ同士の間隔を二等分するように延在している。
【００５４】
また、図４に示すように、第１のダミー細線３８１ａ，３８１ｂと、第１の導体線３２１ａ，３２１ｂとの間には、断線部３８２が形成されている。この断線部３８２によって、第１のダミー細線３８１ａ，３８１ａと、第１の導体線３２１ａ，３２１ｂとは、電気的に絶縁されている。なお、本実施形態において、第１のダミー細線３８１ａ，３８１ｂを、第１のダミー細線３８１と総称する。
【００５５】
図２に示すように、第２の絶縁部４０は、矩形状の外形を有し、透明性を有する樹脂材料で構成されている。この透明性を有する樹脂材料としては、例えば、上記の第１の絶縁部２０を構成する樹脂材料と同様の材料を用いることができる。
【００５６】
第２の絶縁部４０は、第１の導体部３０を覆うように第１の絶縁部２０上に設けられている。この第２の絶縁部４０には、切欠部４１が形成されている。この切欠部４１からは、第１及び第２の端子部３６，３７が露出している。
【００５７】
第２の導体部５０は、第２の絶縁部４０上に設けられており、第２の絶縁部４０によって保持されている。この第２の導体部５０は、導電性ペーストを印刷して硬化させることで形成されている。導電性ペーストの具体例としては、第１の導体部３０を構成する導電ペーストと同様のものを例示することができる。
【００５８】
図１及び図２に示すように、第２の導体部５０は、複数の第２の電極パターン５１と、複数の第３の引出線５４と、複数の第３の端子部５６と、複数の第２のダミーパターン５８と、を含んでいる。本実施形態における「第２の電極パターン５１」が、本発明における「第２の電極パターン」の一例に相当し、本実施形態における「第３の引出線５４」が、本発明における「第３の引出線」の一例に相当し、本実施形態における「第３の端子部５６」が、本発明における「第３の端子部」の一例に相当する。
【００５９】
それぞれの第２の電極パターン５１は、図中Ｙ方向に延在している。そして、複数の第２の電極パターン５１は、図中Ｘ方向に並べられている。それぞれの第２の電極パターン５１は、複数の第２の本体部５２と、複数の第２の連結部５３と、を含んでいる。本実施形態における「第２の本体部５２」は、本発明における「第２の本体部」の一例に相当し、本実施形態における「第２の連結部５３」は、本発明における「第２の連結部」の一例に相当し、本実施形態における「Ｙ方向」が、本発明における「第２の電極パターンの延在方向」の一例に相当する。
【００６０】
図１及び図２に示すように、第２の電極パターン５１の両端に位置する第２の本体部５２は、三角形状を有しており、その他の第２の本体部５２は、略菱形形状を有している。第２の電極パターン５１の複数の第２の本体部５２は、第２の電極パターン５１の延在方向（図中Ｙ方向）に並べられている。相互に隣り合う第２の本体部５２同士は、第２の連結部５３を介して電気的に接続されている。この第２の連結部５３における第２の電極パターン５１の電極幅は、第２の本体部５２における第２の電極パターン５１の電極幅よりも細くなっている。
【００６１】
図６は、便宜上、図３において第２の電極パターン５１と第２のダミーパターン５８のみを取り出して示した拡大平面図である。図６に示すように、第２の電極パターン５１は、複数の直線状の第２の導体線５２１ａ，５２１ｂを有している。第２の導体線５２１ａ，５２１ｂも、図５に示す第１の導体線３２１ａと同様の断面形状を有しており、第２の導体線５２１ａ，５２１ｂの線幅も、第１の導体線３２１ａ，３２１ｂの線幅と等しくなっている。本実施形態における「第２の導体線５２１ａ，５２１ｂ」が、本発明における「第２の導体線」の一例に相当する。なお、以下、第２の導体線５２１ａ，５２１ｂを第２の導体線５２１と総称することもある。
【００６２】
図６に示すように、第２の導体線５２１ａは第１の方向Ｄ１に延在しており、一方で、第２の導体線５２１ｂは、第２の方向Ｄ２に延在している。複数の第２の導体線５２１ａは等間隔で並べられており、同様に、複数の第２の導体線５２１ｂも等間隔で並べられている。第２の導体線５２１ａ，５２１ｂは、相互に交差して複数の格子を形成している。第２の本体部５２では、上記の第１の本体部３２と同様に、第２の本体部５２の全体にわたって略均一に、略菱形形状の格子Ｕ５が形成されている。第２の本体部５２は、複数の格子Ｕ５を繰り返す格子パターンＥを有している。なお、本実施形態における「格子Ｕ５」が、本発明の「第２の格子」の一例に相当し、本実施形態における「格子パターンＥ」が、本発明の「第２の格子パターン」に相当する。
【００６３】
一方で、第２の連結部５３では、格子Ｕ６と格子Ｕ７と格子Ｕ８とが形成されており、格子Ｕ６〜Ｕ８により格子パターンＦが形成されている。格子Ｕ６は複数形成されており、上記の格子Ｕ５と同形状を有している。また、一部の格子Ｕ６の少なくとも２辺に、第２の導体線５２１が交わることで、格子Ｕ６よりもサイズが小さい（第２の導体線５２１間のピッチが格子Ｕ６の約半分となっている）略菱形形状の格子Ｕ７と、矩形形状の格子Ｕ８と、が形成されている。また、一部の格子Ｕ６は断線部５８２（後述）を有しており、一部が欠けた不完全な格子形状となっている。
【００６４】
このように、第２の連結部５３は、略菱形形状の格子Ｕ６が、第２の導体線５２１によって分割され、複数の種類の形状の格子が混在しているため、全体として不均一な格子パターンを有している。この第２の連結部５３では、第２の本体部５２のように、第２の導体線５２１ａ，５２１ｂを均一に並べた場合（つまり、格子Ｕ６によって第２の連結部５３を形成した場合）よりも、第２の導体線５２１ａ，５２１ｂの本数は多くなっている。
【００６５】
上述の通り、第２の連結部５３における第２の電極パターン５１の電極幅は、第２の本体部５２における第２の電極パターン５１の電極幅よりも細くなっている。換言すると、第２の連結部５３における第２の導体線５２１の本数は、第２の本体部５２における第２の導体線５２１の本数よりも少なくなっている。従って、第２の電極パターン５１の幅方向に沿って第２の連結部５３を切断した際の第２の導体線５２１の断面積の合計Ｓ３は、第２の本体部５２を同様の方向に切断した際の第２の導体線５２１の断面積の合計Ｓ４よりも小さくなっている（Ｓ３＜Ｓ４）。
【００６６】
また、第２の連結部５３の第２の導体線５２１の一部（格子Ｕ６の少なくとも２辺に交わる第２の導体線５２１）は、平面視において、第１の連結部３３の第１の導体線３２１が存在していない部分を補うように配置されており、これによって上記のような、平面視における見かけ上の格子Ｕ１（図３参照）を形成している。
【００６７】
また、本実施形態では、下記（１）式のように、第２の連結部５３の第２の導体線５２１ａ，５２１ｂの本数Ｎ２は、第１の連結部３３の第１の導体線３２１ａ，３２１ｂの本数Ｎ１よりも多くなっている。ただし、第１及び第２の連結部３３，５３は、下記（１）式を満たしていなくてもよく、例えば、第１及び第２の連結部３３，５３の開口率などが互いに異なる場合には、下記（１）式を満たさないこともある。
Ｎ１＜Ｎ２  …  （１）
【００６８】
これらのＮ１，Ｎ２は、本実施形態では、下記のようにして求めることができる。図７は図４のVII部分を示す拡大平面図であり、図８は図６のVIII-VIII線に沿った断面図である。すなわち、図７に示すように、第１の連結部３３における第１の導体線３２１の本数Ｎ１は、第１の電極パターン３１の延在方向（図中Ｘ方向）に垂直な方向（図中Ｙ方向）に延在する直線ｌ１と、第１の導体線３２１と、の交点の数（自然数）とする。図７の場合、直線ｌ１と第１の導体線３２１は、点Ｐ１１，Ｐ１２の２点で交わるため、Ｎ１＝２（本）となる。なお、直線ｌ１は、第１の導体線３２１ａ，３２１ｂの交点を通らないように設定する。また、一端が他の第１の導体線３２１と接続されていない第１の枝部３２１ｅと、直線ｌ１の交点は数えずに除外する。また、図３の格子パターンＡのように、タッチセンサ１の平面視において、格子の内側に十字形状等の対向ダミーを形成することで、見かけ上、同一の小格子を繰り返すよう見えるようにすることがある。この対向ダミーは、第１の電極パターン３１とは電気的に絶縁されている。このような対向ダミーと、直線ｌ１の交点は数えずに除外する。
【００６９】
また、第２の連結部５３における第２の導体線５２１の本数Ｎ２は、図８に示すように、第２の電極パターン５１の延在方向（図中Ｙ方向）に垂直な方向（図中Ｘ方向）に延在する直線ｌ２と、第２の導体線５２１と、の交点の数（自然数）とする。図８の場合、直線ｌ２と第２の導体線５２１は、点Ｐ２１〜Ｐ２６の６点で交わるため、Ｎ２＝６（本）となる。なお、直線ｌ２は、第２の導体線５２１ａ，５２１ｂの交点を通らないように設定する。また、一端が他の第２の導体線５２１と接続されていない第２の枝部５２１ｅと、直線ｌ２の交点は数えずに除外する。この場合も、上記と同様に、直線ｌ２と対向ダミーとの交点は数えずに除外する。
【００７０】
また、Ｎ１，Ｎ２は、下記（２）〜（４）式を満たしている。
Ｎ１＋Ｎ２＝Ｎｓ  …  （２）
Ｎ１≧０．５×Ｎｓ／２  …  （３）
Ｎ２≦１．５×Ｎｓ／２  …  （４）
但し、上記（２）〜（４）式において、Ｎｓは３以上の自然数である。
【００７１】
このように、Ｎ１が上記（３），（４）式を満たすことで、第１の連結部３３における第１の導体線３２１の本数Ｎ１が小さくなり過ぎないため、第１の連結部３３による第１の本体部３２同士の接続がより安定する。
【００７２】
そして、本実施形態では、Ｎ１は、下記（５）式のように、格子Ｕ１で第１の連結部３３を形成した場合（同一の格子Ｕ２を繰り返すことで第１の連結部３３を形成した場合）における第１の導体線３２１の本数Ｎａよりも少なくなっている。図７の破線は、格子Ｕ１で第１の連結部３３を形成したと仮定した場合に存在する仮想上の第１の導体線３２１’である。格子Ｕ１で第１の連結部３３を形成した場合、直線ｌ１は、点Ｐ１１，Ｐ１２の２点に加えてさらに、仮想上の第１の導体線３２１’と点Ｐ１３，Ｐ１４で交わる。よって、格子Ｕ１で第１の連結部３３を形成したと仮定した場合、本数Ｎａ＝４（本）となる。上述の通り、Ｎ１＝２（本）であるため、下記（５）式の関係となっている。
Ｎ１＜Ｎａ  …  （５）
【００７３】
さらに、本実施形態では、Ｎ２は、下記（６）式のように、格子Ｕ５で第２の連結部５３を形成した場合（同一の格子Ｕ５を繰り返すことで第２の連結部５３を形成した場合）における第２の導体線５２１の本数Ｎｂよりも多くなっている。図８の太線は、格子Ｕ５で第２の連結部５３を形成したと仮定した場合に存在しなくなる第２の導体線５２１である（なお、太線で示した第２の導体線５２１は、他の第２の導体線５２１よりも幅が太いわけではなく、実際には他の第２の導体線５２１と同一の幅を有している）。格子Ｕ５で第２の連結部５３を形成した場合、直線ｌ２は第２の導体線５２１と点Ｐ２１，Ｐ２３，Ｐ２４，Ｐ２６の４点のみで交わり、点Ｐ２２，Ｐ２５では交わらない。よって、格子Ｕ５で第２の連結部５３を形成したと仮定した場合、本数Ｎｂ＝４（本）となる。上述の通り、Ｎ２＝６（本）であるため、下記（６）式の関係となっている。
Ｎ２＞Ｎｂ  …  （６）
【００７４】
また、平面視において、格子Ｕ５で第２の連結部５３を形成したと仮定した場合に存在しなくなる第２の導体線５２１（図８の太線）は、仮想上の第１の導体線３２１’（図７の破線）と同じ部分に形成されており、重なっている。換言すると、第１の連結部３３は、第２の連結部５３の第２の導体線５２１を増やした部分に対応する部分において、第１の導体線３２１が除去されているといえる。これによって、見かけ上、均一な格子パターンＡが第１及び第２の連結部３３，５３の重複部分においても形成されている。
【００７５】
本実施形態において、第１の連結部３３の開口率は、格子Ｕ１で第１の連結部３３を形成したと仮定した場合における第１の連結部３３の開口率よりも大きい。なお、この「開口率」とは、下記（７）式で表される比率を言う。
（開口率）＝ｂ×ｂ／（ａ×ａ）・・・（７）
ただし、上記（７）式において、ａは、格子Ｕ１の一方の対向する第１の導体線３２１間のピッチ（第１の導体線３２１の中心線間の距離）であり、ｂは格子Ｕ１の他方の対向する第１の導体線３２１間のピッチを表す。
【００７６】
一方、本実施形態において、第２の連結部５３の開口率は、格子Ｕ５で第２の連結部５３を形成したと仮定した場合における第２の連結部５３の開口率よりも小さい。この開口率も、上記（７）式と同様の方法で求めることができる。
【００７７】
図１及び図２に示すように、それぞれの第２の電極パターン５１の長手方向一端には、第３の引出線５４の一端が接続されている。それぞれの第３の引出線５４の他端には第３の端子部５６が接続されており、それぞれの第３の端子部５６は配線体１０の縁部に位置している。この第３の端子部５６が、外部回路と電気的に接続される。また、それぞれの第２の電極パターン５１の長手方向一端には、引出線は接続されていない。なお、以下では、第２の導体部５０のように、第２の電極パターン５１の一端のみに、第３の引出線５４の一端が接続されており、当該第３の引出線５４の他端に、第３の端子部５６が接続されている電極構成を「非ループパターン」と呼称する。
【００７８】
第２のダミーパターン５８は、図２に示すように、第２の絶縁部４０において第２の電極パターン５１が形成されていない領域に配置されており、第２の電極パターン５１とは電気的に絶縁されている。本実施形態においては、複数の第２の電極パターン５１の間に、第２のダミーパターン５８が配置されており、第２のダミーパターン５８は、第２の絶縁部４０を介して第１の電極パターン３１と対向している。本実施形態における「第２のダミーパターン５８」が、本発明における「第２のダミーパターン」の一例に相当する。
【００７９】
それぞれの第２のダミーパターン５８は、図６に示すように、相互に交差する直線状の第２のダミー細線５８１ａ，５８１ｂを有しており、一方の第２のダミー細線５８１ａは、第１の方向Ｄ１に延在しているのに対し、他方の第２のダミー細線５８１ｂは、第２の方向Ｄ２に延在している。第２のダミー細線５８１ａ，５８１ｂは、略菱形形状の格子Ｕ９を形成しており、第２のダミーパターン５８は、同一の格子Ｕ９を繰り返す格子パターンＧを有している。本実施形態における「第２のダミー細線５８１ａ，５８１ｂ」が、本発明における「複数の第２のダミー細線」の一例に相当する。
【００８０】
これらの第２のダミー細線５８１ａ，５８１ｂは、上述の第２の導体線５２１ａの断面形状と実質的に同一の断面形状を有している。なお、第２のダミー細線５８１ａ，５８１ｂは、第２の導体線５２１ａ，５２１ｂと異なる断面形状を有していてもよく、線幅も第２の導体線５２１ａ，５２１ｂと異なっていてもよい。
【００８１】
第２のダミー細線５８１ａは、図３の平面視において、第１の導体線３２１ａと略平行に延在しており、第１の導体線３２１ａ同士の間に位置している。一方で、第２のダミー細線５８１ｂは、第１の導体線３２１ｂと略平行に延在しており、第１の導体線３２１ｂ同士の間に位置している。本実施形態では、第２のダミー細線５８１ａは、隣り合う第１の導体線３２１ａ同士の間隔を二等分するように延在しており、同様に、第２のダミー細線５８１ｂは、隣り合う第１の導体線３２１ｂ同士の間隔を二等分するように延在している。
【００８２】
また、第２のダミー細線５８１ａ，５８１ｂと、第２の導体線５２１ａ，５２１ｂとの間には、断線部５８２が形成されている。この断線部５８２によって、第２のダミー細線５８１ａ，５８１ｂと、第２の導体線５２１ａ，５２１ｂとは、電気的に絶縁されている。なお、本実施形態において、第２のダミー細線５８１ａ，５８１ｂを、第２のダミー細線５８１と総称することもある。
【００８３】
以上の第１の電極パターン３１、第１のダミーパターン３８、第２の電極パターン５１、及び第２のダミーパターン５８により、タッチセンサ１の平面視において、見かけ上同一の格子Ｕ１を繰り返す格子パターンＡが形成される（図３参照）。この同一の格子Ｕ１は、第１の電極パターン３１と第２のダミーパターン５８とが重なって形成される格子と、第２の電極パターン５１と第１のダミーパターン３８とが重って形成される格子と、第１の電極パターン３１の第１の連結部３３の一部と第２の電極パターン５１の第２の連結部５３の一部とが重なって形成される格子と、を含んでいる。
【００８４】
図１に戻り、第３の絶縁部６０は、矩形状の外形を有し、透明性を有する樹脂材料で構成されている。第３の絶縁部６０は、カバーパネル７０と配線体１０との接着層として機能する光学用透明粘着フィルムである。この第３の絶縁部６０を構成する材料としては、例えば、シリコン樹脂系接着剤、アクリル樹脂系接着剤、ウレタン樹脂系接着剤、ポリエステル樹脂系接着剤等の接着剤を用いることができる。
【００８５】
この第３の絶縁部６０は、第２の導体部５０を覆うように第２の絶縁部４０上に設けられている。この第３の絶縁部６０には、切欠部６１が形成されている。この切欠部６１からは、第３の端子部５６が露出している。また、この切欠部６１は上述の第２の絶縁部４０の切欠部４１と重なっており、当該切欠部６１から第１及び第２の端子部３６，３７も露出している。
【００８６】
カバーパネル７０は、第３の絶縁部６０を介して配線体１０に貼り付けられている。カバーパネル７０は、図２に示すように、可視光線を透過することが可能な透明部７１と、可視光線を遮蔽する遮蔽部７２とを備えている。透明部７１は、矩形状に形成され、遮蔽部７２は、透明部７１の周囲に矩形枠状に形成されている。
【００８７】
カバーパネル７０を構成する透明な材料としては、たとえば、ソーダライムガラスやホウケイ酸ガラス等のガラス材料、ポリメタクリル酸メチル（ＰＭＭＡ）、ポリカーボネート（ＰＣ）等の樹脂材料を例示することができる。また、遮蔽部７２は、カバーパネル７０の裏面の外周部に、例えば、黒色のインクを塗布することにより形成されている。カバーパネル７０の裏側（第３の絶縁部６０と接する側）には、図示しない接着層が設けられている。
【００８８】
以上のように、本実施形態では、第１の導体部３０がループパターンであり、第２の導体部５０が非ループパターンとなっている。ループパターン（第１の導体部３０）では、ＥＳＤ等に起因する外部回路からの第１の電極パターン３１への過電流は、第１の端子部３６を経由する突入電流と、第２の端子部３７を経由する突入電力とに分流され、電流密度が高くなり難いため、第１の導体線３２１ａ，３２１ｂの断線が生じ難い。一方で、非ループパターン（第２の導体部５０）では、ループパターンのような分流は生じないため、ＥＳＤ等に起因する過電流の電流密度が高くなり易い。よって、従来では、特に、第２の導体線の本数が減少する第２の連結部において、第２の導体線の断線が生じ易くなっていた。
【００８９】
これに対し、本実施形態のタッチセンサ１であれば、第２の電極パターン５１の第２の連結部５３における第２の導体線５２１の本数Ｎ２を、第２の本体部５２と同様の格子Ｕ５により形成したと仮定した場合よりも多くすることで、第２の連結部５３において、ＥＳＤ等に起因する過電流による断線の防止を図ることができる。さらに、第１の電極パターン３１の第１の連結部３３における第１の導体線３２１の本数Ｎ１を、第１の本体部３２と同様の格子Ｕ２により形成したと仮定した場合よりも少なくすることで、タッチセンサ１の平面視において、図３に示す格子パターンＡのような均一な格子パターンを形成することができる。これによって、タッチセンサ１の視認性の向上も図ることができる。
【００９０】
<<第２実施形態>>
図９は第２実施形態における第１の連結部を示す平面図であり、図１０は第２実施形態における第２の連結部を示す平面図である。本実施形態では、第１の連結部３３Ｂが第３の導体線３２２を有している点と、第２の連結部５３Ｂが、第４の導体線５２２を有している点が第１実施形態と相違するが、それ以外の構成は第１実施形態と同様である。以下に、第２実施形態における第１及び第２の連結部３３Ｂ，５３Ｂについて第１実施形態との相違点についてのみ説明し、第１実施形態と同様の構成である部分については同一符号を付して説明を省略する。
【００９１】
本実施形態では、図９に示すように、第１の電極パターン３１Ｂが第３の導体線３２２を有している。この第３の導体線３２２は、第１の方向Ｄ１及び第２の方向Ｄ２に交差する方向に延在しており、第３の導体線３２２が第１の導体線３２１同士を結んでいる。これによって、第１の連結部３３Ｂの接続安定性が向上する。なお、第３の導体線３２２は複数形成されていてもよい。本実施形態における「第３の導体線」は、本発明における「第３の導体線」の一例に相当する。
【００９２】
本実施形態では、図１０に示すように、第２の電極パターン５１Ｂが第４の導体線５２２を有している。この第４の導体線５２２は、第１の方向Ｄ１及び第２の方向Ｄ２に交差する方向に延在しており、第４の導体線５２２が第２の導体線５２１同士を結んでいる。これによって、第２の連結部５３Ｂの接続安定性が向上する。なお、第４の導体線５２２は複数形成されていてもよい。本実施形態における「第４の導体線」は、本発明における「第４の導体線」の一例に相当する。
【００９３】
本実施形態においても、第１実施形態と同様に、ＥＳＤ等に起因する過電流による第２の導体線５２１の断線の発生を抑制することができる。
【００９４】
<<第３実施形態>>
図１１は本発明の第３実施形態におけるタッチセンサ１Ｃを示す平面図である。なお、図１１では、図１と同様に第３の絶縁部６０及びカバーパネル７０の図示を省略している。本実施形態では、第１の導体部３０Ｃと第２の導体部５０Ｃの両方が共に非ループパターンである点と、第１の電極パターン３１Ｃの延在方向長さＬ１が第２の電極パターン５１Ｃの延在方向長さＬ２より短い点が第１実施形態と相違するが、それ以外の構成は第１実施形態と同様である。以下に、第３実施形態におけるタッチセンサ１Ｃについて第１実施形態との相違点についてのみ説明し、第１実施形態と同様の構成である部分については同一符号を付して説明を省略する。
【００９５】
本実施形態では、第１の導体部３０Ｃが非ループパターンとなっている。また、下記（８）式のように、第１の電極パターン３１Ｃの延在方向長さ（長手方向長さ）Ｌ１よりも、第２の電極パターン５１Ｃの延在方向長さ（長手方向長さ）Ｌ２が長くなっている。
Ｌ１＜Ｌ２  …  （８）
【００９６】
第２の電極パターン５１Ｃは、第１の電極パターン３１Ｃと比較して長いため、寄生容量が大きい。そのため、従来、第２の電極パターンは、第１の電極パターンよりもＥＳＤ等に起因する過電流によって断線が生じやすくなってしまっていた。これに対して、本実施形態では、第１実施形態と同様に、第２の連結部５３を構成する第２の導体線５２１の本数Ｎ２を、第１の連結部３３を構成する第１の導体線３２１の本数Ｎ１よりも多くしているため（図７及び図８参照）、第２の導体線５２１の断線の発生を抑制することができる。また、実施例１と同様に、タッチセンサ１の視認性が向上する。
【００９７】
なお、以上に説明した実施形態は、本発明の理解を容易にするために記載されたものであって、本発明を限定するために記載されたものではない。したがって、上記の実施形態に開示された各要素は、本発明の技術的範囲に属する全ての設計変更や均等物をも含む趣旨である。
【００９８】
例えば、上述の実施形態では、第１及び第２の導体線３２１，５２１と第１及び第２のダミー細線３８１，５８１が直線に形成されているが、特にこれに限定されず、例えば、曲線、破線、ジグザグ線等にしてもよい。
【００９９】
また、上述の実施形態では、第１及び第２の電極パターン３１，５１は、第１及び第２の本体部３２，５２を含む幅広部分と、第１及び第２の連結部３３，５３を含む幅狭部分と、を有しているが、特にこれに限定されない。例えば、第１及び第２の電極パターン３１，５１は、延在方向において幅が一定の帯形状を有するものであってよい。
【０１００】
第１及び第２の電極パターン３１，５１が帯形状を有する場合、平面視において、第１及び第２の電極パターン３１，５１が互いに重なる領域で、第１及び第２の導体線３２１，５２１の本数を少なくすることがある。これは、第１及び第２の電極パターン３１，５１が互いに重なる領域の透過率と、重ならない領域の透過率と、の差を小さくするためである。この場合、第１及び第２の電極パターン３１，５１の第１及び第２の導体線３２１，５２１の本数が本体部よりも少ない領域が本発明における「連結部」の一例に相当し、第１及び第２の導体線３２１，５２１が連結部よりも多い領域が本発明における「本体部」の一例に相当する。
【０１０１】
帯形状の電極パターンでは、延在方向に沿って幅が一定となっている。この帯状の電極パターンにおいても、上記のように、連結部とは、電極パターンにおいて幅方向における導体線の断面積の合計値が相対的に小さくなっている部分のことを言い、電極パターンの形状は問われない。
【０１０２】
また、上述の実施形態では、引出線３４，３５，５４は１本の導体線から構成されているが、これに限定されない。引出線３４，３５，５４は、互いに交差する複数の導体線を含むメッシュ形状であってもよい。
【０１０３】
また、例えば、上記実施形態において、タッチセンサ１から支持体８０を省略してもよい。カバーパネル７０によって、配線体１０を支持することができるため、支持体８０を省略してもよい。この場合には、カバーパネル７０が本発明における支持体の一例に相当する。
【０１０４】
また、例えば、第１の絶縁部２０の下面を実装対象（フィルム、表面ガラス、偏光板、ディスプレイガラス等）に接着して、配線体１０を実装対象により支持させる形態として配線体を構成する場合、当該第１の絶縁部２０の下面に剥離シートを設け、実装時に当該剥離シートを剥がして実装対象に接着して実装する形態としてもよい。また、第１の絶縁部２０側から配線体１０を覆う樹脂部をさらに設け、当該樹脂部を介して、上述の実装対象に接着して実装する形態としてもよい。また、第３の絶縁部６０側を上述の実装対象に接着して実装する形態としてもよい。これらの場合、配線体を実装する実装対象が本発明の支持体の一例に相当する。
【０１０５】
また、上述の実施形態では、第１の電極パターン３１（検出電極）がＮ１＜Ｎａ（上記（５）式）の関係を満たし、第２の電極パターン５１（駆動電極）がＮ２＞Ｎｂ（上記（６）式）の関係を満たしているが、特にこれに限定されない。例えば、第１の電極パターン３１が非ループパターンであり、第２の電極パターン５１がループパターンである場合などには、第１の電極パターン３１がＮ２＞Ｎｂ（上記（６）式）の関係を満たし、第２の電極パターン５１がＮ１＜Ｎａ（上記（５）式）の関係を満たしていてもよい。この場合、第１の電極パターン３１が本発明の「第２の電極パターン」の一例に相当し、第２の電極パターン５１が本発明の「第１の電極パターン」の一例に相当する。
【０１０６】
また、上記実施形態では、タッチセンサ１は、第１及び第２のダミーパターン３８，５８を備えているが、第１及び第２のダミーパターン３８，５８を必ずしも備える必要はない。
【０１０７】
さらに、上述の実施形態では、配線体又は配線板は、タッチセンサに用いられるとして説明したが、特にこれに限定されない。例えば、配線体に通電して抵抗加熱等で発熱させることにより当該配線体をヒーターとして用いてもよい。また、配線体の導体部の一部を接地することにより当該配線体を電磁遮蔽シールドとして用いてもよい。また、配線体をアンテナとして用いてもよい。この場合、配線体を実装する実装対象が本発明の支持体の一例に相当する。
【符号の説明】
【０１０８】
１、１Ｃ…タッチセンサ
２…配線板
１０…配線体
２０…第１の絶縁部
２１…凸部
３０，３０Ｂ，３０Ｃ…第１の導体部
３１，３１Ｃ…第１の電極パターン
３２…第１の本体部
３２１ａ，３２１ｂ…第１の導体線
３２１’…仮想上の第１の導体線
３２１ｃ…第１の接触面
３２１ｄ…第２の接触面
３２１ｅ…第１の枝部
３２２…第３の導体線
３３…第１の連結部
３４…第１の引出線
３５…第２の引出線
３６…第１の端子部
３７…第２の端子部
３８…第１のダミーパターン
３８１ａ，３８１ｂ…第１のダミー細線
３８２…断線部
４０…第２の絶縁部
４１…切欠部
５０，５０Ｃ…第２の導体部
５１，５１Ｃ…第２の電極パターン
５２…第２の本体部
５２１ａ，５２１ｂ…第２の導体線
５２１ｅ…第２の枝部
５２２…第４の導体線
５３…第２の連結部
５４…第３の引出線
５６…第３の端子部
５８…第２のダミーパターン
５８１ａ，５８１ｂ…第２のダミー細線
５８２…断線部
６０…第３の絶縁部
６１…切欠部
７０…カバーパネル
７１…透明部
７２…遮蔽部
８０…支持体
Ａ〜Ｇ…格子パターン
Ｕ１〜Ｕ９…格子
Ｆ…外部導体
【図１】
2020027392.tif 000003
【図２】
2020027392.tif 000004
【図３】
2020027392.tif 000005
【図４】
2020027392.tif 000006
【図５】
2020027392.tif 000007
【図６】
2020027392.tif 000008
【図７】
2020027392.tif 000009
【図８】
2020027392.tif 000010
【図９】
2020027392.tif 000011
【図１０】
2020027392.tif 000012
【図１１】
2020027392.tif 000013